(57)【要約】【課題】ニップ部材の加熱時には、ニップ部材の熱がステイへ移動するのを低減することができ、ニップ部材の冷却時には、ニップ部材の熱をステイへ逃がすことができる定着装置を提供する。【解決手段】定着装置は、筒状の定着ベルト１１０と、定着ベルト１１０の内側に配置されたハロゲンランプ２１０と、定着ベルト１１０の内面が摺接するように配置されたニップ板２２０（ニップ部材）と、ニップ板２２０との間で定着ベルト１１０を挟む加圧ローラ１４０と、ニップ板２２０の加圧ローラ１４０とは反対側を支持する支持部を有するステイ２４０と、を備えている。支持部は、ハロゲンランプ２１０よりも用紙の搬送方向上流側でニップ板２２０を支持する前壁２４２と、ハロゲンランプ２１０よりも搬送方向下流側でニップ板２２０を支持する後壁２４３とを有し、前壁２４２および後壁２４３の一方のみとニップ板２２０の間には、断熱材２５０が設けられている。【選択図】図２
2014066852.tif 000002
【特許請求の範囲】
【請求項１】
記録シートに転写された現像剤像を熱定着するように構成される定着装置であって、
筒状の定着ベルトと、
前記定着ベルトの内側に配置された発熱体と、
前記定着ベルトの内面が摺接するように配置されたニップ部材と、
前記ニップ部材との間で前記定着ベルトを挟む回転体と、
前記ニップ部材の前記回転体とは反対側を支持する支持部を有するステイと、を備え、
前記支持部は、前記発熱体よりも記録シートの搬送方向上流側で前記ニップ部材を支持する第１支持部と、前記発熱体よりも前記搬送方向下流側で前記ニップ部材を支持する第２支持部とを有し、
前記第１支持部および前記第２支持部の一方のみと前記ニップ部材の間には、断熱材が設けられていることを特徴とする定着装置。
【請求項２】
前記発熱体を覆うように形成される反射部材を備え、
前記反射部材は、前記ニップ部材側の端部に、前記発熱体から離れるように延びるフランジ部を有し、
前記フランジ部は、前記ニップ部材と前記支持部で挟まれていることを特徴とする請求項１に記載の定着装置。
【請求項３】
前記断熱材は、前記ニップ部材と前記フランジ部の間に配置されていることを特徴とする請求項２に記載の定着装置。
【請求項４】
前記断熱材は、前記フランジ部と前記支持部の間に配置されていることを特徴とする請求項２に記載の定着装置。
【請求項５】
記録シートに転写された現像剤像を熱定着するように構成される定着装置であって、
筒状の定着ベルトと、
前記定着ベルトの内側に配置された発熱体と、
前記定着ベルトの内面が摺接するように配置されたニップ部材と、
前記ニップ部材との間で前記定着ベルトを挟む回転体と、
前記ニップ部材の前記回転体とは反対側を支持する支持部を有するステイと、を備え、
前記支持部は、前記発熱体よりも記録シートの搬送方向上流側で前記ニップ部材を支持する第１支持部と、前記発熱体よりも前記搬送方向下流側で前記ニップ部材を支持する第２支持部とを有し、
前記第１支持部と前記ニップ部材の間には、第１断熱材が設けられ、
前記第２支持部と前記ニップ部材の間には、第２断熱材が設けられ、
前記第１断熱材と前記第２断熱材は、断熱効果が異なっていることを特徴とする定着装置。
【発明の詳細な説明】
【技術分野】
【０００１】
本発明は、記録シートに転写された現像剤像を熱定着するように構成される定着装置に関する。
【背景技術】
【０００２】
従来、記録シートに転写された現像剤像を熱定着するための定着装置において、筒状の定着ベルトと、定着ベルトの内部に配置された発熱体およびニップ部材と、ニップ部材との間で定着ベルトを挟む加圧ローラと、ニップ部材を加圧ローラの反対側から支持するステイとを備えるものが知られている（例えば、特許文献１参照）。
【０００３】
この技術では、発熱体がニップ部材を加熱し、当該加熱されたニップ部材が、定着ベルトと加圧ローラの間を搬送される記録シートを加熱する。
【先行技術文献】
【特許文献】
【０００４】
【特許文献１】特開２０１１−２０３４０５号公報
【発明の概要】
【発明が解決しようとする課題】
【０００５】
ところで、上述したような技術において、ステイがニップ部材から熱を奪うことで加熱効率、特に、始動時の温度の立ち上がりが悪化しないように、ステイとニップ部材の間に断熱材を設けることが考えられる。しかしながら、ニップ部材からステイへほとんど熱が移動しなくなってしまうと、ニップ部材を冷却するとき、例えば、発熱体をＯＦＦにしたときに、ニップ部材の熱をステイへ逃がすことができず、高温になったニップ部材がなかなか冷却されないおそれがある。
【０００６】
そこで、本発明は、ニップ部材の加熱時には、ニップ部材の熱がステイへ移動するのを低減することができ、ニップ部材の冷却時には、ニップ部材の熱をステイへ逃がすことができる定着装置を提供することを目的とする。
【課題を解決するための手段】
【０００７】
前記した目的を達成するため、本発明の定着装置は、記録シートに転写された現像剤像を熱定着するように構成される定着装置であって、筒状の定着ベルトと、定着ベルトの内側に配置された発熱体と、定着ベルトの内面が摺接するように配置されたニップ部材と、ニップ部材との間で定着ベルトを挟む回転体と、ニップ部材の回転体とは反対側を支持する支持部を有するステイと、を備えている。
支持部は、発熱体よりも記録シートの搬送方向上流側でニップ部材を支持する第１支持部と、発熱体よりも搬送方向下流側でニップ部材を支持する第２支持部とを有している。
そして、第１支持部および第２支持部の一方のみとニップ部材の間には、断熱材が設けられている。
【０００８】
このように構成された定着装置によれば、第１支持部および第２支持部の一方とニップ部材の間に断熱材が設けられているので、ニップ部材の加熱時には、ニップ部材の熱がステイへ移動するのを低減することができる。また、第１支持部および第２支持部の他方とニップ部材の間には、断熱材が設けられていないので、ニップ部材の冷却時には、ニップ部材の熱をステイへ逃がし、ニップ部材を素早く冷却することができる。
【０００９】
そして、前記した定着装置は、発熱体を覆うように形成される反射部材を備え、反射部材は、ニップ部材側の端部に、発熱体から離れるように延びるフランジ部を有していてもよい。
この場合、フランジ部は、ニップ部材と支持部で挟まれている構成とすることができる。
【００１０】
そして、前記した反射部材がフランジ部を有する定着装置において、断熱材は、ニップ部材とフランジ部の間に配置されていてもよい。
【００１１】
また、前記した反射部材がフランジ部を有する定着装置において、断熱材は、フランジ部と支持部の間に配置されていてもよい。
【００１２】
そして、前記した目的を達成するため、本発明の定着装置は、記録シートに転写された現像剤像を熱定着するように構成される定着装置であって、筒状の定着ベルトと、定着ベルトの内側に配置された発熱体と、定着ベルトの内面が摺接するように配置されたニップ部材と、ニップ部材との間で定着ベルトを挟む回転体と、ニップ部材の回転体とは反対側を支持する支持部を有するステイと、を備えている。
支持部は、発熱体よりも記録シートの搬送方向上流側でニップ部材を支持する第１支持部と、発熱体よりも搬送方向下流側でニップ部材を支持する第２支持部とを有している。
そして、第１支持部とニップ部材の間には、第１断熱材が設けられ、第２支持部とニップ部材の間には、第２断熱材が設けられ、第１断熱材と第２断熱材は、断熱効果が異なっている。
【００１３】
このように構成された定着装置によれば、第１支持部とニップ部材の間、および、第２支持部とニップ部材の間に、第１断熱材または第２断熱材が設けられているので、ニップ部材の加熱時には、ニップ部材の熱がステイへ移動するのを低減することができる。また、第１断熱材と第２断熱材は、断熱効果が異なっていることから、第１支持部とニップ部材の間および第２支持部とニップ部材の間の一方では、ニップ部材からステイへ熱を移動させることが可能なように構成することができるので、ニップ部材の冷却時には、ニップ部材の熱をステイへ逃がし、ニップ部材を素早く冷却することができる。
【発明の効果】
【００１４】
本発明によれば、ニップ部材の加熱時には、ニップ部材の熱がステイへ移動するのを低減することができ、ニップ部材の冷却時には、ニップ部材の熱をステイへ逃がすことができる。
【図面の簡単な説明】
【００１５】
【図１】本発明の一実施形態に係る定着装置を備えるレーザプリンタの概略構成を示す図である。
【図２】定着装置の断面図である。
【図３】ニップ板の斜視図である。
【図４】反射部材とステイの斜視図（ａ）と、（ａ）におけるＢ部の拡大断面図（ｂ）である。
【図５】ハロゲンランプ、ニップ板、反射部材、ステイおよび断熱材を示す拡大断面図である。
【図６】第１の変形例に係る定着装置におけるハロゲンランプ、ニップ板、反射部材、ステイおよび断熱材を示す拡大断面図である。
【図７】第２の変形例に係る定着装置におけるハロゲンランプ、ニップ板、反射部材、ステイ、第１断熱材および第２断熱材を示す拡大断面図である。
【図８】第３の変形例に係る定着装置におけるハロゲンランプ、ニップ板、反射部材、ステイおよび断熱材を示す拡大断面図である。
【図９】第４の変形例に係る定着装置におけるハロゲンランプ、ニップ板、反射部材、ステイおよび断熱材を示す拡大断面図である。
【発明を実施するための形態】
【００１６】
次に、本発明の一実施形態について、適宜図面を参照しながら詳細に説明する。なお、以下の説明では、まず、本発明の定着装置１００を備えたレーザプリンタ１の概略構成について説明した後、本発明の特徴部分について詳しく説明する。
【００１７】
また、以下の説明において、方向は、レーザプリンタ１を使用するユーザを基準にした方向で説明する。すなわち、図１における左側を「前」、右側を「後」とし、手前側を「右」、奥側を「左」とする。また、図１における上下方向を「上下」とする。
【００１８】
＜レーザプリンタの概略構成＞
図１に示すように、レーザプリンタ１は、本体筐体２内に、記録シートの一例としての用紙Ｓを供給する給紙部３と、露光装置４と、用紙Ｓ上にトナー像（現像剤像）を転写するプロセスカートリッジ５と、用紙Ｓ上のトナー像を熱定着する定着装置１００とを主に備えている。
【００１９】
給紙部３は、本体筐体２内の下部に設けられ、給紙トレイ３１と、用紙押圧板３２と、給紙機構３３とを主に備えている。給紙トレイ３１に収容された用紙Ｓは、用紙押圧板３２によって上方に寄せられ、給紙機構３３によってプロセスカートリッジ５（感光体ドラム６１と転写ローラ６３との間）に向けて供給される。
【００２０】
露光装置４は、本体筐体２内の上部に配置され、図示しないレーザ発光部や、符号を省略して示すポリゴンミラー、レンズ、反射鏡などを備えている。この露光装置４では、レーザ発光部から出射される画像データに基づくレーザ光（鎖線参照）が、感光体ドラム６１の表面で高速走査されることで、感光体ドラム６１の表面を露光する。
【００２１】
プロセスカートリッジ５は、露光装置４の下方に配置され、本体筐体２に設けられたフロントカバー２１を開いたときにできる開口から本体筐体２に対して着脱可能に装着される構成となっている。このプロセスカートリッジ５は、ドラムユニット６と、現像ユニット７とから構成されている。
【００２２】
ドラムユニット６は、感光体ドラム６１と、帯電器６２と、転写ローラ６３とを主に備えている。また、現像ユニット７は、ドラムユニット６に対して着脱可能に装着される構成となっており、現像ローラ７１と、供給ローラ７２と、層厚規制ブレード７３と、トナー（現像剤）を収容するトナー収容部７４とを主に備えている。
【００２３】
このプロセスカートリッジ５では、感光体ドラム６１の表面が、帯電器６２により一様に帯電された後、露光装置４からのレーザ光の高速走査によって露光されることで、感光体ドラム６１上に画像データに基づく静電潜像が形成される。また、トナー収容部７４内のトナーは、供給ローラ７２を介して現像ローラ７１に供給され、現像ローラ７１と層厚規制ブレード７３の間に進入して一定厚さの薄層として現像ローラ７１上に担持される。
【００２４】
現像ローラ７１上に担持されたトナーは、現像ローラ７１から感光体ドラム６１上に形成された静電潜像に供給される。これにより、静電潜像が可視像化され、感光体ドラム６１上にトナー像が形成される。その後、感光体ドラム６１と転写ローラ６３の間を用紙Ｓが搬送されることで感光体ドラム６１上のトナー像が用紙Ｓ上に転写される。
【００２５】
定着装置１００は、プロセスカートリッジ５の後方に設けられている。用紙Ｓ上に転写されたトナー像（トナー）は、定着装置１００を通過することで用紙Ｓ上に熱定着される。トナー像が熱定着された用紙Ｓは、搬送ローラ２３，２４によって排紙トレイ２２上に排出される。
【００２６】
＜定着装置の詳細構成＞
図２に示すように、定着装置１００は、筒状の定着ベルト１１０と、定着ベルト１１０の内側に配置され、定着ベルト１１０を加熱する加熱ユニット２００と、加熱ユニット２００との間で定着ベルト１１０を挟む回転体の一例としての加圧ローラ１４０とを主に備えている。
【００２７】
定着ベルト１１０は、後述する加熱ユニット２００によって加熱される耐熱性と可撓性を有するベルトである。定着ベルト１１０は、符号を省略して示すガイド部材により回転が案内されている。
【００２８】
加圧ローラ１４０は、弾性変形可能な部材であり、定着ベルト１１０や後述する加熱ユニット２００の下方に配置されている。そして、この加圧ローラ１４０は、弾性変形した状態で加熱ユニット２００（ニップ板２２０）との間で定着ベルト１１０を挟むことで、ニップ部Ｎを形成するようになっている。本実施形態においては、加熱ユニット２００および加圧ローラ１４０は、一方が他方に向けて付勢されることで互いに圧接するように構成されている。
【００２９】
この加圧ローラ１４０は、本体筐体２内に設けられた図示しないモータから駆動力が伝達されて回転駆動するように構成されており、回転駆動することで定着ベルト１１０（または用紙Ｓ）との摩擦力により定着ベルト１１０を従動回転させるようになっている。これによりトナー像が転写された用紙Ｓは、加圧ローラ１４０と加熱された定着ベルト１１０の間を前後方向に搬送されることでトナー像（トナー）が熱定着される。
【００３０】
加熱ユニット２００は、定着ベルト１１０を介して用紙Ｓ上のトナーを加熱するユニットであり、発熱体の一例としてのハロゲンランプ２１０と、ニップ部材の一例としてのニップ板２２０と、反射部材２３０と、ステイ２４０とを備えている。
【００３１】
ハロゲンランプ２１０は、輻射熱を発してニップ板２２０および定着ベルト１１０を加熱することで用紙Ｓ上のトナーを加熱するヒータであり、定着ベルト１１０の内部において定着ベルト１１０およびニップ板２２０の内面から所定の間隔をあけて配置されている。
【００３２】
ニップ板２２０は、ハロゲンランプ２１０からの輻射熱を受ける板状の部材であり、その下面に筒状の定着ベルト１１０の内周面が摺接するように、定着ベルト１１０の内部に配置されている。本実施形態において、ニップ板２２０は、例えば、後述する鋼製のステイ２４０より熱伝導率が大きい、アルミニウム板などを加工することで形成されている。
【００３３】
図３に示すように、ニップ板２２０は、左右に長い板状に形成されたベース部２２１と、ベース部２２１の前後端に設けられた屈曲部２２２とを有している。
【００３４】
ベース部２２１は、その下面が定着ベルト１１０の内周面に接触する部分であり、ハロゲンランプ２１０からの熱を、定着ベルト１１０を介して用紙Ｓ上のトナーに伝達するようになっている。屈曲部２２２は、ベース部２２１の前後端から上方へ延びるように形成されている。
【００３５】
図２および図４（ａ）に示すように、反射部材２３０は、ハロゲンランプ２１０からの輻射熱（主に前後方向や上方向に向けて放射された輻射熱）をニップ板２２０（ベース部２２１の上面）に向けて反射する部材であり、ハロゲンランプ２１０を覆うように、ハロゲンランプ２１０から所定の間隔をあけて配置されている。
【００３６】
このような反射部材２３０によってハロゲンランプ２１０からの輻射熱をニップ板２２０に集めることで、ハロゲンランプ２１０からの輻射熱を効率よく利用することができ、ニップ板２２０および定着ベルト１１０を速やかに加熱することができる。
【００３７】
具体的に、反射部材２３０は、赤外線および遠赤外線の反射率が大きく、後述するステイ２４０よりも熱伝導率が大きい、例えば、アルミニウム板などを、略Ｕ字状に湾曲させて形成されている。より詳しくは、反射部材２３０は、湾曲形状（断面視略Ｕ字状）をなす反射部２３１と、反射部２３１のニップ板２２０側の両端部から前後方向外側にハロゲンランプ２１０から離れるように延びるフランジ部２３２とを有している。また、この反射部材２３０は、後述するステイ２４０よりも薄く形成されている。
【００３８】
ステイ２４０は、加圧ローラ１４０とは反対側から前後方向におけるニップ板２２０の両端部を支持し、ニップ板２２０に対し加圧ローラ１４０側から力が作用したときに、その力を受け止める部材である。このステイ２４０は、比較的剛性が高い、例えば、鋼板などの金属板を、ニップ板２２０側に開口を有するとともに反射部材２３０（反射部２３１）に沿った断面視略Ｕ字状に屈曲させることにより形成されている。
【００３９】
より詳細に、ステイ２４０は、ハロゲンランプ２１０の上方に配置される上壁２４１と、上壁２４１の前後端から下方へ延びる支持部の一例としての前壁２４２（第１支持部）および後壁２４３（第２支持部）とを有している。
【００４０】
前壁２４２は、ハロゲンランプ２１０よりも用紙Ｓの搬送方向上流側に配置されている。そして、前壁２４２は、その下端部で、反射部材２３０の前側のフランジ部２３２をニップ板２２０との間で挟むとともに、ニップ板２２０の前端部（前側の屈曲部２２２の端部）を上から支持している。
【００４１】
後壁２４３は、ハロゲンランプ２１０よりも用紙Ｓの搬送方向下流側に配置されている。そして、後壁２４３は、その下端部で、反射部材２３０の後側のフランジ部２３２をニップ板２２０との間で挟むとともに、ニップ板２２０の後端部（ベース部２２１の後端部）を上から支持している。
【００４２】
また、本実施形態においては、前壁２４２の下端部は、ニップ部Ｎよりも用紙Ｓの搬送方向上流側に配置され、後壁２４３の下端部は、ニップ部Ｎよりも用紙Ｓの搬送方向下流側に配置されている。
【００４３】
そして、図５に示すように、ステイ２４０の前壁２４２とニップ板２２０の間、詳細には、前壁２４２と反射部材２３０の前側のフランジ部２３２の間には、断熱材２５０が設けられている。
【００４４】
断熱材２５０は、樹脂製のテープである。この断熱材２５０としては、例えば、耐熱性に優れた樹脂テープであるポリイミドテープを使用することができる。断熱材２５０は、図４（ｂ）に示すように、前壁２４２の下端部に、左端部から右端部にわたって貼り付けられており、前壁２４２の反射部材２３０に近接する下面を覆っている。
【００４５】
これにより、断熱材２５０は、図５に示すように、前壁２４２と前側のフランジ部２３２とに挟まれるように配置され、前壁２４２と前側のフランジ部２３２は、直接接触しないようになっている。
【００４６】
なお、断熱材２５０は、前壁２４２と前側のフランジ部２３２との間における熱の移動を抑制するのに十分な物性を有する素材や厚みで形成されているのが望ましい。
【００４７】
そして、断熱材２５０は、ステイ２４０の後壁２４３とニップ板２２０の間には、設けられておらず、後壁２４３は反射部材２３０の後側のフランジ部２３２に接触している。つまり、断熱材２５０は、ステイ２４０の前壁２４２および後壁２４３の一方のみとニップ板２２０の間に設けられている。
【００４８】
以上のように構成された本実施形態の定着装置１００によれば、以下のような作用効果を得ることができる。
ハロゲンランプ２１０がＯＮになると、ハロゲンランプ２１０からの輻射熱を受けて、ニップ板２２０が温まり始める。
【００４９】
このとき、ニップ板２２０に接触している反射部材２３０は、熱伝導率が高く、また、薄く熱容量が小さいため、ニップ板２２０とともに温まりやすい。ところが、ステイ２４０は、ニップ板２２０や反射部材２３０と比べて熱伝導率が小さく温まりにくい。そのため、仮に、ニップ板２２０の熱がステイ２４０に移動しやすい構成の場合には、ステイ２４０がニップ板２２０の熱を奪い、ニップ板２２０の加熱効率（昇温速度）が悪くなってしまう。本実施形態では、ステイ２４０の前壁２４２とニップ板２２０の間に、断熱材２５０を設けたので、ニップ板２２０の熱がステイ２４０へ移動するのを低減することができる。これにより、ニップ板２２０を速やかに加熱することができる。
【００５０】
そして、断熱材２５０が、ニップ部Ｎよりも搬送方向上流側に配置される前壁２４２とニップ板２２０の間に設けられているため、用紙Ｓや定着ベルト１１０がニップ部Ｎへ進入するときに、ニップ板２２０の熱を奪っても、前壁２４２はニップ板２２０の熱を奪わないので、ニップ板２２０の温度低下を低減することができる。
【００５１】
また、ハロゲンランプ２１０をＯＦＦにすると、後壁２４３とニップ板２２０の間には断熱材２５０が設けられていないため、ニップ板２２０の熱が、後壁２４３に容易に移動する。このように、ニップ板２２０の冷却時には、ニップ板２２０の熱をステイ２４０へ逃がすことができるので、ニップ板２２０を速やかに冷却することができる。
【００５２】
以上、本発明の実施形態について説明したが、本発明は前記実施形態に限定されるものではない。具体的な構成については、本発明の趣旨を逸脱しない範囲で適宜変更が可能である。
【００５３】
前記実施形態では、断熱材２５０が、ステイ２４０の前壁２４２とニップ板２２０の間に設けられ、後壁２４３とニップ板２２０の間には設けられていなかったが、本発明はこれに限定されるものではない。例えば、図６に示すように、断熱材２５０が、後壁２４３とニップ板２２０の間に設けられ、前壁２４２とニップ板２２０の間には設けられていない構成であってもよい。
【００５４】
具体的に、断熱材２５０は、後壁２４３の下端部に貼り付けられており、後壁２４３の下面を覆っている。これにより、断熱材２５０は、後壁２４３と反射部材２３０の後側のフランジ部２３２との間に配置されている。
【００５５】
このように構成しても、前記実施形態と同様に、ニップ板２２０の加熱時には、ニップ板２２０の熱がステイ２４０へ移動するのを低減することができ、ニップ板２２０の冷却時（ハロゲンランプ２１０をＯＦＦにしたとき）には、ニップ板２２０の熱をステイ２４０へ逃がすことができる。
【００５６】
そして、前記実施形態では、ステイ２４０の前壁２４２および後壁２４３の一方（前壁２４２）のみとニップ板２２０の間に断熱材２５０を設けていたが、本発明はこれに限定されるものではない。例えば、前壁２４２とニップ板２２０の間、および、後壁２４３とニップ板２２０の間に、異なる断熱効果を有する断熱材を設けてもよい。
【００５７】
具体的に、図７に示すように、前壁２４２とニップ板２２０の間には、第１断熱材２５１が設けられている。また、後壁２４３とニップ板２２０の間には、第２断熱材２５２が設けられている。
【００５８】
第１断熱材２５１は、前壁２４２の下端部に貼り付けられ、前壁２４２の下面を覆っており、前壁２４２と反射部材２３０の前側のフランジ部２３２の間に配置されている。
【００５９】
第２断熱材２５２は、後壁２４３の下端部に貼り付けられ、後壁２４３の下面を覆っており、後壁２４３と反射部材２３０の後側のフランジ部２３２の間に配置されている。第２断熱材２５２は、第１断熱材２５１と同じ素材から形成されているが、第１断熱材２５１よりも薄くなっており、第１断熱材２５１に比べ、後壁２４３と後側のフランジ部２３２の間の熱の移動を許容するようになっている。
【００６０】
このように構成した場合、ニップ板２２０の加熱時には、ニップ板２２０の熱が、ステイ２４０の前壁２４２および後壁２４３へ移動するのを低減することができる。また、ニップ板２２０の冷却時には、ニップ板２２０の熱を後壁２４３側からステイ２４０へ逃がすことができる。
【００６１】
なお、第１断熱材と第２断熱材は、異なる断熱性能を有する素材により形成し、同じ厚みとしてもよい。例えば、第１断熱材を、熱が伝わりにくい物性を有する素材で形成し、第２断熱材を、第１断熱材を構成する素材よりも熱が伝わりやすい物性を有する素材で形成してもよい。このように第１断熱材と第２断熱材を形成しても、第１断熱材と第２断熱材は、異なる断熱効果を有している。
【００６２】
また、第１断熱材と第２断熱材は、同じ断熱性能を有する素材により同じ厚みで形成され、第２断熱材は、第１断熱材が貼り付けられている前壁２４２の下面の露出面積よりも、後壁２４３の下面の露出面積が大きくなるような大きさで形成されていてもよい。このような場合であっても、第１断熱材と第２断熱材は、異なる断熱効果を有している。
【００６３】
また、前記実施形態では、断熱材２５０が、ステイ２４０の前壁２４２と反射部材２３０の前側のフランジ部２３２の間に配置されていたが、本発明はこれに限定されるものではない。例えば、断熱材は、ニップ板２２０と前側のフランジ部２３２の間に配置されていてもよいし、前壁２４２と前側のフランジ部２３２の間、および、前側のフランジ部２３２とニップ板２２０の間の両方に配置されていてもよい。
【００６４】
具体的に、断熱材がニップ板２２０と前側のフランジ部２３２の間に配置されている場合の一例を、図８を参照して説明する。断熱材２６０は、前側のフランジ部２３２の下面を覆うように、反射部材２３０に貼り付けられている。これにより、ニップ板２２０の熱がフランジ部２３２へ移動するのを低減することができるので、フランジ部２３２に接触するステイ２４０の前壁２４２へニップ板２２０の熱が移動するのを低減することができる。
【００６５】
次に、断熱材が前壁２４２と前側のフランジ部２３２の間、および、前側のフランジ部２３２とニップ板２２０の間の両方に配置されている場合の一例を、図９を参照して説明する。断熱材２７０は、前側のフランジ部２３２の下面および上面の両方を覆うように、フランジ部２３２の端部を巻き込んで貼り付けられている。これにより、ニップ板２２０の熱が前側のフランジ部２３２へ移動するのを低減するとともに、フランジ部２３２の熱が前壁２４２へ移動するのも低減することができるので、ニップ板２２０の熱が前壁２４２へ移動するのをより低減することができる。
【００６６】
そして、前記実施形態では、ステイ２４０の前壁２４２の下端部に、テープ状の断熱材２５０を貼り付けることで、前壁２４２と反射部材２３０のフランジ部２３２の間に断熱材２５０を設けていたが、本発明はこれに限定されるものではない。例えば、塗料タイプの断熱材を前壁２４２の下端部に塗布してもよいし、シート状の断熱材を、接着剤や両面テープによって前壁２４２の下端部に固定してもよい。
【００６７】
また、前記実施形態では、断熱材２５０が樹脂で形成されていたが、本発明はこれに限定されるものではない。例えば、断熱材は、セラミックスや各種の繊維質材料から形成されていてもよい。
【００６８】
前記実施形態では、発熱体としてハロゲンランプ２１０を例示したが、本発明はこれに限定されず、例えば、カーボンヒータなどであってもよい。
【００６９】
前記実施形態では、ニップ部材として板状のニップ板２２０を例示したが、本発明はこれに限定されず、例えば、板状でない厚めの部材を採用してもよい。
【００７０】
前記実施形態では、回転体として加圧ローラ１４０を例示したが、本発明はこれに限定されず、例えば、ベルト状の加圧部材などであってもよい。
【００７１】
前記実施形態では、記録シートとして、普通紙やはがきなどの用紙Ｓを例示したが、本発明はこれに限定されず、例えば、ＯＨＰシートなどであってもよい。
【符号の説明】
【００７２】
１      レーザプリンタ
１００  定着装置
１１０  定着ベルト
１４０  加圧ローラ
２１０  ハロゲンランプ
２２０  ニップ板
２３０  反射部材
２３２  フランジ部
２４０  ステイ
２４２  前壁
２４３  後壁
２５０  断熱材
２５１  第１断熱材
２５２  第２断熱材
Ｓ      用紙
【図１】
2014066852.tif 000003
【図２】
2014066852.tif 000004
【図３】
2014066852.tif 000005
【図４】
2014066852.tif 000006
【図５】
2014066852.tif 000007
【図６】
2014066852.tif 000008
【図７】
2014066852.tif 000009
【図８】
2014066852.tif 000010
【図９】
2014066852.tif 000011